(57)【要約】【課題】  自動車に横置きに搭載するパワープラントＰのマウント３（防振マウント装置）に一体的に設ける揺動規制機構４を、簡単な構造でトルクロッドと同様の機能を有するものとする。【解決手段】  パワープラントＰ側に連結される連結金具６４の周りを囲むように略円筒状のストッパ金具６２を配設するとともに、該連結金具６４の連結軸部６４ａの外周に、ゴム部８２を形成し、その内部にＵ字状の芯体８１を、連結金具６４を側方から取り囲むように埋設して、ストッパ部８０を形成する。該芯体８１は、前後に所定の角度δで傾斜させて配置する。これにより、芯体８１はリンクのように左右方向の軸周りに回動可能になり、ストッパ部８０が前後方向の圧縮力を受けた状態でも比較的容易に上下方向へ剪断変形することで、急加速時等の加速こもり音を十分に抑制することができる。【選択図】      図３
2005226792.tif 000002
【特許請求の範囲】
【請求項１】
長手方向が車体の左右方向となるように車両に搭載されるパワープラントの左右少なくとも一方の端部を車体に対して弾性支持するとともに、該パワープラントのロール方向の揺動を規制する揺動規制機構を備えた防振マウント装置であって、
前記揺動規制機構は、前記パワープラント側部材とその前後に各々対向する車体側部材との間でそれぞれ前後方向の圧縮力を受ける前後力受部材を備え、
前記前後力受部材が、前記パワープラント側部材または車体側部材のいずれか一方に設けられたゴム部と、該ゴム部よりも剛性の高い材料で形成され、前記パワープラント側部材を左右少なくとも一側から半周以上、取り囲むとともに、水平面に対し前後に所定角度傾斜して少なくとも左右方向の軸周りに回動可能なように前記ゴム部に一体形成された芯体と、からなることを特徴とする防振マウント装置。
【請求項２】
請求項１において、
前後力受部材のゴム部はパワープラント側部材に設けられ、
芯体の前後少なくとも一方の端部には、対向する車体側部材の面に略平行な平面部が形成されていることを特徴とする防振マウント装置。
【請求項３】
請求項１において、
前後力受部材のゴム部はパワープラント側部材に設けられ、
芯体の前後少なくとも一方の端部には、上下の中間部が膨出する円弧面部が形成されていることを特徴とする防振マウント装置。
【請求項４】
請求項１〜３のいずれか一つにおいて、
前後力受部材の芯体は、少なくとも前後両方の部位においてゴム部内に埋設され、
前記芯体の前後各部位に対応するゴム部の前後各部位には、それぞれ、上面または下面のどちらか一方から該ゴム部内の芯体の表面まで上下方向に延びる穴部が形成されていて、その両方の穴部の底の高さが異なっていることを特徴とする防振マウント装置。
【発明の詳細な説明】
【技術分野】
【０００１】
本発明は、自動車にパワープラントを搭載するための防振マウント装置に関し、特に、パワープラントのロール方向の揺動を規制するための機構を一体的に設ける場合の構造の技術分野に属する。
【背景技術】
【０００２】
従来より、例えばフロントエンジン・フロントドライブ（ＦＦ）方式の車両では、一般的に、パワープラントの長手方向（クランク軸の延びる方向）を車体の幅方向に向けて搭載し、その両端部をそれぞれエンジンルームの左右両端側に位置する車体サイドフレームに対して弾性支持するようにしている（いわゆる横置き搭載方式）。
【０００３】
このような横置き搭載方式としては、例えば特許文献１に開示されるように、左右両側の主マウントをパワープラントのロール慣性主軸（以下、単にロール軸という）に近接させて配置する慣性主軸マウントが主流である。これは、パワープラントの静荷重の殆どを受け持つ左右２つのマウントの支持剛性を確保しながら、ロール軸周りの動ばねを比較的柔らかなものとして、アイドル振動を効果的に低減することができるからである。
【０００４】
但し、そのようにロール軸周りの動ばねを柔らかくすると、例えば急加速時や急減速時のようにエンジンの駆動出力（トルク）が大きく変動するときには、その反力（トルク）によってパワープラント全体が大きくロール軸周りに回動（ローリング）することになるので、慣性主軸マウントの場合は前記左右の主マウント以外にローリングを規制するためのマウントを通常、パワープラントの前後に複数個、設けている。
【０００５】
この点、例えば特許文献２に開示されるように、左右の主マウントによるパワープラントの支持点をロール軸に対しやや高めに設定して、該パワープラント全体を振り子（ペンデュラム）のように揺動可能に支持するとともに、その揺れを規制するためのトルクロッドをパワープラントの下端部に配設して、車体側と連結するようにしたものがある（以下、ペンデュラムマウントと呼ぶ）。
【０００６】
このペンデュラムマウントでは、前記の一般的な慣性主軸マウントに比べて左右の主マウントがロール軸から離れているため、パワープラントのローリングに伴い前記主マウントに対し直接的に前後方向の力が作用することになり、言い換えると、該主マウント自体によってもローリングが規制されることになる。この点を考慮して、前記特許文献２に記載のものでは、パワープラント下端の独立のトルクロッドの他に、左右の主マウントにも各々トルクロッドを配設して、これにより前後方向の力を受け止めるようにしている。
【０００７】
ところが、そのように主マウントにもトルクロッドを配設する場合には、その分、マウントの構成部品の数が増えてしまい、組み立て工数も増えることから、かなりのコストアップを招くという問題がある。これは、トルクロッドを付けたことによってマウントの上下動が阻害されないように、該トルクロッドの前後両端部をそれぞれ水平軸の周りに回動可能に支持し、且つ振動が伝わらないようにゴムブッシュを介して連結するからである。
【０００８】
この点、より簡単な構造でマウントにおける変位を規制することのできるストッパ機構も種々、知られている。例えば、特許文献３、４に記載のものでは、パワープラント側に連結された部材の前後両側にそれぞれ突出するようにストッパゴム部を設けて、このストッパゴム部が各々前後方向に対向する車体側の部材に当接することによって、それ以上の変位を規制するようにしている。
【０００９】
また、そのようにストッパゴム部が車体側の部材に当接すると、このストッパゴム部を介してパワープラントの振動が車体側に伝達される虞れがあるので、前記特許文献５、６に記載のストッパ機構では、ストッパゴム部の先端に凸条部を設けたり、或いはストッパゴムの内部にすぐり（空洞部）を設けたりして、部分的に剛性を低下させるようにしている。これにより、例えば図７(a)に実線(I)で示すようにストッパの作動（Ｓ１）と同時にマウントのばね定数が急上昇することはなくなり、同図に破線(II)で示すようにストッパ作動初期のばね定数の上昇が比較的緩やかなものとなって振動を吸収できるようになる。
【特許文献１】仏国特許出願公開第２７３７００８号明細書
【特許文献２】独国特許出願公開第４２０９６１３号明細書
【特許文献３】特開２００３−１８４９３９号公報
【特許文献４】特開２００２−２５７１８２号公報
【特許文献５】特開昭６１−９２３２９号公報
【特許文献６】特公昭６０−０２５４１号公報
【発明の開示】
【発明が解決しようとする課題】
【００１０】
しかし、前記従来のストッパ機構（特許文献３〜６等）は、いずれも、トルクロッドのようにマウントへの前後方向入力を受け止めながら、その上下動を阻害せず、上下動ばねの上昇を最小限に抑えることのできるものではないので、上述したトルクロッドの代用にはなり得ない。
【００１１】
すなわち、まず前記特許文献３、４のものでは、上述したように、ストッパゴム部が車体側部材に当接して前後方向の押圧力を受け止めた状態では、圧縮されたゴムの弾性変形が前後方向だけでなく上下方向についても大幅に制限され、このストッパゴム部によって車体側部材がパワープラント側部材に対して拘束されることになる。このため、ストッパの作動と同時にマウント全体の前後及び上下の動ばねが急上昇し、防振性能が急激に悪化する（図７(a)(b)の実線のグラフを参照）。
【００１２】
例えば、自動車の加速時には、エンジンの往復慣性力等のアンバランスに起因して、パワープラント全体で上下方向の振動が大きくなることがあるが、このときに駆動反力によってパワープラントが後傾し、ストッパが作動して、前記のようにマウントの防振性能が急激に悪化すると、加速運転に伴う上下振動が車室内に伝播して、大きなこもり音を発生するという不具合が生じる。
【００１３】
これに対し、前記特許文献５、６のようにストッパゴム部の一部の剛性を低下させて、ストッパの作動初期においてゴムが比較的容易に弾性変形するようにしたとしても（図７(a)の破線のグラフを参照）、このことは、ストッパの作動に伴う前記のようなマウント防振性能の悪化を遅らせるだけであり、トルクロッドのように前後方向の荷重をしっかりと受け止めながら、マウント全体として上下動ばねの上昇を抑えて、上下振動を十分に吸収できるようにしたものではないのである。
【００１４】
本発明は、斯かる点に鑑みてなされたものであり、その目的とするところは、いわゆるＦＦ車等に横置きに搭載されるエンジン（パワープラント）の防振マウント装置において、これに一体的に設ける揺動規制機構の構成に工夫を凝らし、コストアップの少ない簡単な構造としながら、トルクロッドと同様の機能を有するものとすることにある。
【課題を解決するための手段】
【００１５】
前記の目的を達成するために、本願発明の防振マウント装置では、パワープラントの揺れに伴い前後方向の力が加わる前後力受部材の芯体を傾斜配置させて、リンクのように回動可能とすることで、簡単な構成により、前記前後力受部材が前後いずれの方向から圧縮力を受けているときでも比較的容易に上下に剪断変形するようにして、車体側部材とパワープラント側部材とが比較的容易に上下に相対変位できるようにした。
【００１６】
具体的に、請求項１の発明は、長手方向が車体の左右方向となるように車両に搭載されるパワープラントの左右少なくとも一方の端部を車体に対して弾性支持するとともに、該パワープラントのロール方向の揺動を規制する揺動規制機構を備えた防振マウント装置を対象とする。そして、前記揺動規制機構は、前記パワープラント側部材とその前後に各々対向する車体側部材との間でそれぞれ前後方向の圧縮力を受ける前後力受部材を備え、前記前後力受部材が、前記パワープラント側部材または車体側部材のいずれか一方に設けられたゴム部と、該ゴム部よりも剛性の高い材料で形成され、前記パワープラント側部材を左右少なくとも一側から半周以上、取り囲むとともに、水平面に対し前後に所定角度傾斜して少なくとも左右方向の軸周りに回動可能なように前記ゴム部に一体形成された芯体と、からなるものとする。
【００１７】
この構成により、例えば自動車の加速時や減速時等、駆動反力の作用によってパワープラントがロール軸周りに回動（ローリング）し、これにより防振マウント装置において車体側部材とパワープラント側部材とが前後に相対変位するときには、該両部材間で前後力受部材が前後方向の力を受け止めることで、パワープラントの揺れを規制することができる。
【００１８】
また、前記前後力受部材は、ゴム部と芯体とが一体形成されたものであり、上述のように前後方向の力を受け止める際は、そのゴム部が前後方向に圧縮されて、弾性変形し難い状態になるが、これに一体形成された芯体が前後に傾斜配置されているため、前後力によって強く拘束されることがなく、パワープラントから上下方向の振動が伝達された場合には、該芯体がリンクのように回動すること（以下、リンク作動ともいう）になる。
【００１９】
このような芯体のリンク作動によって、前後力受部材全体としては比較的容易に上下に剪断変形するようになり、前記車体側部材とパワープラント側部材とが比較的容易に上下に相対変位できるようになるので、前後方向の力を受け止めてパワープラントの揺れを規制しながら、上下振動の吸収は十分に行われ、防振マウントにおける上下振動の吸収性能を十分に維持することができる。
【００２０】
しかも、パワープラントの前後の傾きによって前記パワープラント側部材と前後の車体側部材との間に生じる前後方向の力を１つの前後力受部材によって受け止めることができるので、前後いずれの方向にもトルクロッドと同様の機能を有する構造を低コストで実現することができる。
【００２１】
上述の構成において、前後力受部材のゴム部はパワープラント側部材に設けられ、芯体の前後少なくとも一方の端部には、対向する車体側部材の面に略平行な平面部が形成されていることが好ましい（請求項２の発明）。こうすれば、パワープラント側部材に前後方向の力が加わり、前後力受部材が車体側部材に当接した場合、該前後力受部材の芯体は、前後いずれかの平面部全体で略均等に押圧力を受けることとなり、その間に挟まれるゴム部の損傷等を防止することができる。
【００２２】
また、より好ましい構成としては、前後力受部材のゴム部はパワープラント側部材に設けられ、芯体の前後少なくとも一方の端部に、上下の中間部が膨出する円弧面部を形成するようにしてもよい（請求項３の発明）。こうすれば、芯体の端面が平面の場合に比べて、該芯体のリンク作動がさらに容易になる可能性がある。
【００２３】
ところで、上述のように、前後力受部材のゴム部内に一体形成する芯体を所定の角度で傾斜した状態とするためには、その芯体を斜めに支持した状態でゴムの加硫を行う必要がある。そのため、該前後力受部材は、芯体が水平面に対して所定の角度で傾斜配置されるようにピン部材によって支持された状態でゴム部と一体形成されるものであり、その結果、前記芯体の前後各部位に対応するゴム部の前後各部位には、それぞれ、上面または下面のどちらか一方から該ゴム部内の芯体の表面まで上下方向に延びる穴部が形成され、その両方の穴部の底の高さが異なるものとなる（請求項４の発明）。
【発明の効果】
【００２４】
請求項１の発明に係る防振マウント装置の発明によれば、パワープラント側部材と車体側部材との間で前後方向の力を受ける前後力受部材をゴム部と芯体とからなるものとし、その芯体を傾斜配置させて、前後力受部材が前後方向の圧縮力を受けているときでも比較的容易に上下に剪断変形するようにしたので、簡単且つ低コストな構造でトルクロッドのように前後方向の荷重をしっかりと受け止めることができるとともに、上下動ばねの急激な上昇を招くことがないため、自動車の加速こもり音等を十分に抑制することができる。しかも、前記前後力受部材を、パワープラント側部材を側方から囲むように設けて、パワープラントの前後方向の変位に対応できるようにしたので、さらなるコスト低減が図られる。
【００２５】
請求項２及び３の発明によれば、前後力受部材が前後方向の力を受けるときに、芯体の前後いずれかの端面が略均等に押圧されるようにしたので、ゴム部の耐久性を向上することができる。
【００２６】
請求項４の発明によれば、前後力受部材の芯体とゴム部とを一体成形する際、該芯体をピン部材によって支持することで、該芯体の傾斜配置がより確実なものとなる。
【発明を実施するための最良の形態】
【００２７】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２８】
（マウントシステムの全体構成）
図１及び図２は、本発明の実施形態に係る防振マウント装置を用いたエンジンマウントシステムの概略構成を示し、両図において符号Ｐは、エンジン１及び変速機２が直列に結合されてなるパワープラントである。このパワープラントＰは、その長手方向（エンジン１のクランク軸の延びる方向）が車幅方向（車体の左右方向）となるように、図示しない自動車のエンジンルームに横置きに搭載されていて、その長手方向両端部、即ちエンジン１側及び変速機２側の各端部にそれぞれ配設されたマウント３，５を介して、車体サイドフレーム６，７に対し２箇所で弾性支持されている。また、パワープラントＰの下端部は、前記マウント３，５とは独立のトルクロッド８によって後方の車体部材９（サブフレーム等）に連結されている。
【００２９】
図１は、前記エンジン１の吸排気系や補機等を全て省略して、本体部のみを車体後方の斜め右側上方から見たものであり、エンジン１本体部は、概略シリンダブロック１０とその上部に配設されたシリンダヘッド１１とからなり、変速機２とは反対の長手方向の端部（同図１おいて手前側に示す車体右端部）にベルトカバー１２が配設され、シリンダヘッド１１の上部にはヘッドカバー１３が配設されるとともに、シリンダブロック１０の下部にはオイルパン（図示せず）が配設されている。そして、前記シリンダヘッド１１の右側壁にはベルトカバー１２を貫通してエンジン側マウントブラケット１５の下端側が締結され、そこから上方に向かって延びる該マウントブラケット１５の上端部が略水平に折れ曲がっていて、マウント３の上部に設けたエンジン取付ブラケット２９の下側に重ね合わされた状態で締結されている。このエンジン側マウント３が本願発明の防振マウント装置であり、その詳しい構成については後述する。
【００３０】
前記変速機２は、この実施形態ではトルクコンバータや変速ギヤ列の他にディファレンシャルも一体となった自動変速機であり（手動変速機やＣＶＴでもよい）、変速機ケース２０のベルハウジング２０ａがエンジン１のクランク軸側端部にてシリンダブロック１０に連結されるとともに、そのベルハウジング２０ａの後方に形成された膨出部２０ｂから左右両側に向かって、それぞれ、自動車の前車輪を駆動するためのドライブシャフト２２，２２が延びている。そして、先すぼまりの変速機ケース２０の先端部近傍をマウントブラケット２３により車体左側のサイドフレーム７から吊り下げるようにして、変速機側マウント５が配設されている。
【００３１】
前記のようにエンジン１及び変速機２を直列に結合してなるパワープラントＰでは、エンジン１の方が変速機２よりも背が高いことから、長手方向に延びるロール軸Ｒ（ロール慣性主軸）は、図に一点鎖線で示すように、エンジン１側の端部から変速機２側に向かって下向きに傾斜している。また、この実施形態では、パワープラントＰの重量を受け持つ２つのマウント３，５がそれぞれロール軸Ｒから上方に離間しており、このことで、パワープラントＰは、前記２つのマウント３，５の荷重の支持点を結ぶ線分Ｌ（揺動支軸：図２参照）の周りに振り子（ペンデュラム）のように揺動可能になっている。
【００３２】
そして、例えば自動車の急加速時や急減速時のように大きな駆動反力（トルク）が作用すると、パワープラントＰは、図２に白抜きの矢印で模式的に示すように概ねロール軸Ｒの周りに回動（ローリング）しながら、全体としては上方の揺動軸Ｌを中心として振り子のように前後に揺れようとするが、そのようなローリングや全体的な揺れは主にパワープラントＰの下端部に配設されたトルクロッド８によって規制されるとともに、左右のマウント３，５にそれぞれ配設された揺動規制機構４（図３、図４参照）によっても規制されることになる。
【００３３】
すなわち、この実施形態では、前記のようにパワープラントＰの下端部に配置した独立のトルクロッド８の他に、左右のマウント３，５にもそれぞれトルクロッドと同様の機能を有する揺動規制機構を設けており、パワープラントＰが加速時の駆動反力等によってローリングして、大きな前後方向荷重がマウント３，５に入力しても、この荷重を前記揺動規制機構により受け止めて、パワープラントＰの揺れをより確実に規制できるようになっている。
【００３４】
（エンジン側マウントの構造）
次に、エンジン側及び変速機側の２つのマウント３，５のうち、エンジン側マウント３についての詳細な構造を図３及び図４に基づいて説明する。ここで、図３はエンジン側マウント３の一部分を切り欠いて、その内部構造を示す部分断面図であり、図４は上面図である。尚、変速機側マウント５についての詳しい説明は省略するが、その基本的な構造は従来周知のものである。
【００３５】
まず、図３に示すように、この実施形態ではエンジン側のマウント３はいわゆる液体封入式のものであり、パワープラントＰの静荷重が入力する上下方向（主振動入力方向である軸線Ｚ方向）に延びるように配置された略円筒状の金属製ケーシング６０（車体側部材）と、該ケーシング６０の上面略中央部に開口する円形の開口部に上方から挿入された状態でゴム弾性体６３により支持された連結金具６４（パワープラント側部材）とを備えている。
【００３６】
前記ケーシング６０は、前記ゴム弾性体６３を介して連結金具６４を下側から支持する円筒状の支持筒体６１と、この支持筒体６１よりもやや小径の円筒形状を有し、下端部に形成されたフランジ６２ａが該支持筒体６１の上端部に固定されるストッパ金具６２とからなり、該ケーシング６０の下側外周に一体的に取付固定された３つのブラケット６７，６７，６７によりサイドフレーム６上に固定されている。
【００３７】
前記支持筒体６１は、内周側の内筒部材６５と外周側の外筒部材６６とからなる二重構造のものであり、その上端部において外筒部材６６の上端縁からさらに上方に突出する複数（図例では８つ）の爪部６６ａ，６６ａ，…が周方向に所定間隔を空けて設けられていて、該各爪部６６ａが内周側に折り曲げられて、前記ストッパ金具６２の下部フランジ６２ａを内筒部材６５の上端縁部にかしめている。一方、前記内筒部材６５及び外筒部材６６の両方の下端縁部には、それぞれ内周側に延出する環状の内周フランジ６５ａ，６６ｂが形成されており、該内筒部材６５の内周フランジ６５ａが外筒部材６６の内周フランジ６６ｂによって下方からかしめられた状態になっている。
【００３８】
前記連結金具６４は、下側の部分が下方に向かって徐々にすぼんだ逆円錐台形状に形成されるとともに、前記ケーシング６０内に収容されてゴム弾性体６３の上部に接着される一方、上側の部分はケーシング６０の上面よりも上方に延びる連結軸部６４ａとされ、この軸部６４ａには、上端面の略中央部から上記軸線Ｚに沿って下方に向かうようにボルト孔６４ｂが穿孔されている。そして、図示しないが、そのボルト孔６４ｂに螺入される取付ボルトによって、前記エンジン取付ブラケット２９が連結金具６４の上端部に締結されるようになっている。
【００３９】
一方、前記連結金具６４の逆円錐台形状の下部には、その円錐台の周面全体に亘ってゴム弾性体６３の上部内周が加硫接着されている。このゴム弾性体６３の上部外周は、上方に向かってすぼんだ円錐台状に形成されていて、その上端には外方に膨出する円環状のストッパ部８０（後述する）が一体に設けられている。また、ゴム弾性体６３の下端縁から下方に延びるようにゴムの薄肉層部６３ａが形成されていて、この薄肉層部６３ａは、前記内筒部材６５の下側部分の内周面に加硫接着されている。したがって、前記連結金具６４はゴム弾性体６３を介してケーシング６０により下方から支持されていることになる。
【００４０】
そして、前記薄肉層部６３ａの内周面には、概略厚肉の円盤状をなすオリフィス盤６８が下方から圧入され、さらに、その下方から該オリフィス盤６８の下側全体を覆うように、ハット形状のダイヤフラム６９が配設されていて、これによりゴム弾性体６３の下端開口部が液密に閉塞されて、その内部に空洞部が形成されている。すなわち、前記ダイヤフラム６９はゴム製の膜状部材であって、相対的に厚肉の外周部６９ａに円環板状の補強板７０が埋設されていて、この外周部６９ａが、内筒部材６５の下端縁に形成された内周フランジ６５ａの上面に重合わされて、該内周フランジ６５ａとともに外筒部材６６の内周フランジ６６ｂによってかしめられている。
【００４１】
上述のようにダイヤフラム６９によって閉塞されたゴム弾性体６３の空洞部には、エチレングリコール等の緩衝液が封入されていて、ゴム弾性体６３に入力するパワープラントＰの振動を吸収、緩和するための液室Ｆが形成されている。この液室Ｆの内部は前記オリフィス盤６８によって上下に仕切られていて、その上側が、ゴム弾性体６３の変形に伴い容積が拡大又は縮小する受圧室になっており、また、下側が、ダイヤフラム６９の変形によって容積が拡大又は縮小されて、前記受圧室における容積の変動を吸収する平衡室になっている。すなわち、前記オリフィス盤６８の外周には、ケーシング６０の内筒部材６５内周に接着されたゴム弾性体６３の薄肉層部６３ａとの間に上下に２重の螺旋状をなすオリフィス通路７１が形成され、このオリフィス通路７１の上端が前記液室Ｆ上側の受圧室に臨んで開口する一方、該オリフィス通路７１の下端は液室Ｆ下側の平衡室に臨んで開口しており、それら受圧室及び平衡室の緩衝液がオリフィス通路７１を介して相互に流通することによって、ゴム弾性体６３から受圧室に作用する低周波の振動が減衰されるようになっている。
【００４２】
（揺動規制機構）
上述の構造に加えて、図３及び図４に示すように、エンジン側マウント３には、本願発明の特徴部分である揺動規制機構４が一体的に設けられている。すなわち、上述の如くケーシング６０のストッパ金具６２に囲まれた連結金具６４の連結軸部６４ａには、その外周側にゴム部材等からなるストッパ部８０（前後力受部材）が形成されていて、パワープラントＰが前後方向に揺れたときには、該ストッパ部８０がストッパ金具６２に当接することによって、前後方向の力を受けるようになっている。そして、詳しくは、以下に述べるが、ストッパ部８０は、ゴム部８２と、該ゴム部８２に回動可能に埋設された芯体８１と、からなるもので、トルクロッドと同等の機能を発揮する。なお、詳しい説明は省略するが、同様の機能を有する揺動規制機構が変速機側マウント５にも設けられている。
【００４３】
次に、前記ストッパ部８０の構造について、図３〜６を参照して詳細に説明する。なお、後述のとおり、該ストッパ部８０の後方側は、その前方側とは芯体８１の高さ位置が異なるだけであり、該芯体８１がリンクのように回動するという機能は前方側と同じなので、図６には、ストッパ部８０の前方側のみの断面を示し、前方側についてのみ以下で説明する。
【００４４】
図３及び図６(a)に示すように、ストッパ部８０は、ゴム弾性体６３と一体に連結金具６４の外周面に形成された環状のゴム層の内部に、上方から見て略Ｕ字状で断面が略矩形状の金属製芯体８１（図５(a)参照）を埋め込んだものであり、該芯体８１は、連結軸部６４ａをその右側から半周以上に亘って取り囲むように配置されていて、該芯体８１の前部８１ａと後部８１ｂとがそれぞれ連結軸部６４ａの前後に位置付けられている。
【００４５】
なお、図３及び図６に示す如く断面で見ると、その芯体８１の内周側のゴム部８２ａは外周側のゴム部８２ｂよりも肉厚である。また、前記ストッパ部８０には、上方に盛り上がる上方膨出部８０ａが設けられていて、前記ストッパ金具６２の上部フランジ部６２ｂに下方から当接することによって、連結金具６４の上方への移動を制限するようになっている。
【００４６】
前記芯体８１は、その前部８１ａが後部８１ｂよりも下側に位置するように、水平面（本実施例ではマウント３の軸線Ｚに直交する直交面Ｘ）に対して所定の角度δで前後に傾斜配置されている。これは、前後方向の力が加わってストッパ部８０がストッパ金具６２の内周面に当接した場合にも、その前後方向の力を受け止めながら以下に述べるように芯体８１をリンク作動させるためであり、そのためには前記傾斜角度δを例えば略３〜５度の範囲に設定するのが好ましい。
【００４７】
そのように芯体８１を傾斜状態で配設するために、前記ストッパ部８０を形成するときには、マウント３を上下逆転させて連結金具６４の連結軸部６４ａが下方に位置した状態で芯体８１を下方から複数のピン部材（図示省略）によって支持しながらゴム部８２及びゴム弾性体６３を加硫成形するようにしている。そのため、ゴム部８２には、ピン部材の位置に対応する部分に上方に開口する複数の孔８２ｃ（穴部）が形成されることとなる。そして、上述のように、芯体８１を傾斜させて配置（前部８１ａが後部８１ｂよりも下側）するために、前記複数のピン部材の支持高さを前後で変化させている。このため、ストッパ部８０のゴム部８２の外形を前後対称とした場合、芯体８１の前方側に形成される孔８２ｃの深さは、後方側に形成される孔８２ｃよりも深くなっている。
【００４８】
なお、前記ストッパ部８０の形成方法は、上述の方法に限らず、前記連結金具６４が図３の状態（連結軸部６４ａが上方に位置している）で成形するようにしてもよい。この場合、前記芯体８１はその下方からピン部材によって支持されることになるため、前記孔８２ｃはゴム部８２の下面に開口するように形成される。
【００４９】
上述のように芯体８１を斜めに取り付けることで、図６(b)に示すように、連結金具６４が前方に変位し、前記ストッパ部８０の外周端がストッパ金具６２の内周面に当接して、前後方向の押圧力を受け止めるときには、該ストッパ金具６２からの押圧力ｆ１が芯体８１に対して斜めに作用し、これにより該芯体８１の回動が促されることになる。
【００５０】
すなわち、前記ストッパ部８０に前後方向の押圧力が加わったときには、芯体８１の内外周のゴム部８２ａ，８２ｂがそれぞれ前後方向に圧縮されて弾性変形し難い状態になっても、それよりも剛性の高い芯体８１がリンクのように左右方向の軸の周りに回動することで（リンク作動）、ストッパ部８０全体としては比較的容易に上下方向へ剪断変形するようになり、これにより、パワープラントＰ側の連結金具６４と車体側のストッパ金具６２とが比較的容易に上下に相対変位して、上下振動を吸収できるものである。
【００５１】
なお、前記ストッパ部８０において、芯体８１の外周面８１ｃ（芯体８１の前後両端面を含む）はストッパ金具６２の内周面と略平行になっており、ストッパ部８０の外周端がストッパ金具６２の内周面に当接した場合、芯体８１の外周面８１ｃが外周側のゴム部８２ｂを均一な力で押圧することになるため、そのゴム部８２ｂの損傷を防止することができる。ただし、図５(b)に示すように、芯体８１の外周面８１ｃを中凸の略円弧面状にしてもよい。この場合には、突出ゴム部８２ｂの損傷をより効果的に防止することができるとともに、上述のような芯体８１のリンク作動も極めて容易になって、より効果的に上下振動を吸収できるようになる。ここで、前記ストッパ金具６２の内周面に略平行な芯体８１の外周面８１ｃが平面部であり、該外周面８１ｃを中凸の略円弧面状とした場合には、該外周面８１ｃが円弧面部となる。
【００５２】
（作用効果）
したがって、この実施形態に係る防振マウント装置（エンジン側マウント３）によると、例えば自動車が停止していてエンジン１がアイドル運転状態にあるときには、トルク変動等に起因する低周波のアイドル振動がマウント３のゴム弾性体６３により吸収され、車体への振動伝達が抑制される。このときに例えばエンジン側マウント３では、連結金具６４のストッパ部８０等がストッパ金具６２から離間しているので、これらを介してアイドル振動が車体側に伝達されることもない。
【００５３】
一方、例えば自動車の急加速時や急減速時のように大きな駆動反力（トルク）が作用すると、パワープラントＰは、図２に白抜きの矢印で模式的に示すように概ねロール軸Ｒの周りに回動（ローリング）しながら、全体としては上方の揺動支軸Ｌを中心として振り子のように前後に揺れようとする。このときに、そのロール軸Ｒ周りの回動変位は、パワープラントＰ下端部の独立のトルクロッド８によって規制されるとともに、左右のマウント３，５の揺動規制機構によっても規制され、これにより該パワープラントＰの揺れが効果的に抑えられる。
【００５４】
その際、例えばエンジン側マウント３の揺動規制機構４においては、ストッパ部８０がストッパ金具６２に当接して前後方向の圧縮力を受ける状態になるため、このストッパ部８０を介してパワープラントＰの上下振動が車体側に伝達される懸念があるが、上述したようにストッパ部８０は、その内部に埋め込まれた芯体８１がリンク作動することで、前後方向の圧縮力を受けていても比較的容易に上下に剪断変形することができる。このことで、ストッパが作動してもマウント３全体の上下動ばねの上昇は非常に小さなものとなるので、前記エンジンの急加減速によってパワープラントＰの上下振動が大きくなっても、この上下振動の車体側への伝達は効果的に抑制され、車室内で加速こもり音等が特に大きくなることはない。
【００５５】
図７は、前記のように自動車の加減速に伴いストッパが作動して、その前後で防振マウントのばね特性が変化する様子を調べたものであり、同図(a)は、前後方向の静ばねの変化を示す荷重−変位（撓み）曲線で、同図(b)は、ストッパ作動前後の上下方向動ばねの変化を示すものである。
【００５６】
図(a)に実線(I)で示すのは、従来一般的なソリッドゴムのストッパについてのもので、加速度が低くてストッパが作動するまでは、グラフの傾きが緩くて、ばねが柔らかいが、ストッパが作動すると（図示の点Ｓ１）グラフの傾きが急峻に立ち上がっており、圧縮されたゴムの剛性が急激に高くなっていることが分かる。そして、そのように前後の静ばねの剛性が高くなるときには自ずと上下方向についてもばね定数が高くなるので、図に一点鎖線で示すように自動車の所定の加速状態に対応する設定荷重が作用した状態では、同図(b)に実線(I)で示すように上下動ばねが急上昇して、上下振動の吸収性能が大幅に悪化してしまう（前後方向荷重が作用しないときの上下動ばねは点線で示す）。
【００５７】
また、前記図(a)に破線(II)で示すのは、従来例（特許文献５，６）のようにストッパゴムにすぐり（空洞部）を設けて、部分的に剛性を低下させたものであり、このものではストッパ作動（Ｓ２）初期の前後ばねの上昇が前記ソリッドゴム(I)に比べて緩やかなので、前記設定荷重が作用したときでもグラフの傾きは比較的緩く、ソリッドゴムに比べれば柔らかなばね特性となっている。しかし、この場合も、ストッパゴムの前後ばね定数の上昇に対応して図(b)に破線(II)で示すように上下の動ばねが高くなってしまい、上下振動の吸収性能が悪化することは避けられない。
【００５８】
これに対し、この実施形態のストッパ部８０の場合は、上述の如く芯体８１がリンク作動することによって、トルクロッドと同様に前後方向の力をしっかりと受け止めながら、上下動ばねの上昇は最小限に抑えることができるので、前後方向に前記設定荷重が作用した状態でも、上下方向については図(b)に一点差線(III)で示すように前後荷重の作用しないときとあまり変わらない低い動ばね特性となることが分かる。
【００５９】
つまり、この実施形態に係る防振マウント装置３の揺動規制機構４によると、ストッパ部８０のゴム部８２に埋設された芯体８１のリンク作動によって、前後いずれの方向から力が作用した場合でもトルクロッドと同様の機能を得ることができ、これによりパワープラントＰの揺れを効果的に規制しながら、マウント３による上下振動の吸収性能を十分に維持して、加速こもり音等の増大を防止することができる。
【００６０】
しかも、上方から見て略Ｕ字状に形成された芯体８１とゴム部８２とからなるストッパ部８０が連結金具６４を側方から取り囲むように設けられていて、パワープラントＰの前後いずれの方向への傾きに対しても、トルクロッドと同様の機能を発揮するので、前後に別々の部材を設ける場合に比べて製作が容易になり、コストを低減することができる。
【００６１】
（他の実施形態）
尚、本発明の構成は、前記実施形態に限定されるものではなく、その他の種々の実施形態を包含するものである。すなわち、前記の実施形態では、ストッパ部８０に埋設する芯体８１を金属製の略Ｕ字状のものとしているが、これに限らず、芯体８１の材料はゴムよりも剛性の高いものであればよいから、例えば樹脂製としてもよい。また、芯体４４は略Ｕ字状ではなく、例えば、リング状のものであってもよい。
【００６２】
また、前記実施形態では、ストッパ部８０をパワープラントＰ側の連結金具６４に設けるようにしているが、これに限らず、車体側のストッパ金具６２に設けることもできる。この場合には、芯体８１の内周面８１ｄを車両の左右方向から見て前記連結金具６４の外周面に平行な平面状、若しくは円弧状に形成するのが好ましい。
【００６３】
さらに、前記実施形態では、エンジン側マウント３を液体封入式のものとしているが、これに限るものではなく、例えばケーシング６０内からオリフィス盤６８やダイヤフラム６９等を取り去って、パワープラントＰの静荷重をゴム弾性体６３のみによって支持するようにしてもよいことは言うまでもない。
【図面の簡単な説明】
【００６４】
【図１】エンジンマウントシステムの概略構成を示す斜視図である。
【図２】パワープラントを車体左側から見て、駆動反力（トルク）の作用する様子を模式的に示す説明図である。
【図３】エンジン側マウントの内部構造を示す部分断面図である。
【図４】エンジン側マウントの上面図である。
【図５】(a)は芯体を単体で示す斜視図であり、(b)は外周面が円弧状の変形例である。
【図６】揺動規制機構の構造及び作動を模式的に示す拡大断面図である。
【図７】(a)は、自動車の加減速に伴うマウントの前後静ばね特性の変化を示す荷重−変位曲線のグラフであり、(b)は、ストッパ作動前後の上下動ばね特性の変化を示すグラフである。
【符号の説明】
【００６５】
３      エンジン側マウント（防振マウント装置）
４      揺動規制機構
６２    ストッパ金具（車体側部材）
６４    連結金具（パワープラント側部材）
８０    ストッパ部（前後力受部材）
８１    芯体
８１ｃ  外周面（平面部、円弧面部）
８２    ゴム部
８２ｃ  孔（穴部）
Ｐ      パワープラント
Ｚ      軸線
Ｘ      直交面
【図１】
2005226792.tif 000003
【図２】
2005226792.tif 000004
【図３】
2005226792.tif 000005
【図４】
2005226792.tif 000006
【図５】
2005226792.tif 000007
【図６】
2005226792.tif 000008
【図７】
2005226792.tif 000009